(57)【要約】      （修正有）【課題】圧縮収納袋の排気弁を、簡単な構造で分解容易にする。【解決手段】排気弁１の弁座１０は、排気孔１１ａが設けられた基板１１と、止め環とを有し、止め環を基板１１から放射状に延びるフィン１３で支持する。可撓性を有する弁体２０は、弁板２１と、弁軸とを有し、弁軸の先端は大径の頭部２２ａとする。弁軸を排気孔１１ａに挿入し、頭部２２ａを弾性変形させ、止め環本体１２ａをくぐらせ、復元すると、弁体２０は弁座１０に取り付けられる。排気弁１の上から掃除機で吸引すると、弁板が撓んで排気孔１１ａが開放され、収納袋２が脱気圧縮される。弁体２０を弁座１０から離れる向きに引っ張ると、頭部２２ａが弾性変形して止め環本体１２ａから抜け出るため、排気弁１は簡単に分解されて掃除容易である。【選択図】図７
0003129981.tif 000002
【実用新案登録請求の範囲】
【請求項１】
排気孔が設けられた基板と、基板から所定距離を置いて排気孔に対向する止め環とを有し、基板と止め環との間は空気が流通可能に形成された弁座と、
弁板と、この弁板の板面からほぼ垂直に延びる弁軸とを有し、弁軸には、前記止め環の内径よりも径の大きな頭部が形成された、可撓性を有する弁体とから構成され、
弁体の弁軸を止め環の逆側から弁座の排気孔に挿入し、頭部を弾性変形させて、止め環をくぐらせ、頭部が復元することにより、弁体は弁座に着脱可能に取り付けられる圧縮収納袋用の排気弁。
【請求項２】
上記基板の止め環との対向面に、基板とほぼ垂直をなす複数のフィンを連設し、これらフィンを、排気孔を中心にほぼ放射状に配置し、その内端部で止め環を支持した請求項１に記載の圧縮収納袋用の排気弁。
【請求項３】
上記止め環の外縁を基板から離間する方向に延長して筒状のケーシングを形成し、このケーシング内に弁軸の頭部を収納可能とした請求項１または２に記載の圧縮収納袋用の排気弁。
【請求項４】
上記基板の止め環との対向面と逆側の面に、排気孔を取り囲む環状の凸条を設け、弁座に弁体が取り付けられた状態で、この基板の凸条の全周に弁板が密着可能とした請求項１から３のいずれかに記載の圧縮収納袋用の排気弁。
【請求項５】
上記基板の止め環との対向面と逆側の面に、排気孔を取り囲んで基板の板面からほぼ垂直に延びる筒状のホッパを連設し、このホッパの内周面に、排気孔に対し、ほぼ放射状に配置されるガイドリブを設けた請求項１から３のいずれかに記載の圧縮収納袋用の排気弁。
【請求項６】
上記基板の止め環との対向面と逆側の面に、排気孔を取り囲む環状の凸条を設け、弁座に弁体が取り付けられた状態で、この基板の凸条の全周に弁板が密着可能とし、この凸条を取り囲んで基板の板面からほぼ垂直に延びる筒状のホッパを連設し、このホッパの内周面に、排気孔に対し、ほぼ放射状に配置されるガイドリブを設けた請求項１から３のいずれかに記載の圧縮収納袋用の排気弁。
【請求項７】
上記基板の止め環との対向面と逆側の面に、排気孔を取り囲んで基板の板面からほぼ垂直に延び、その内周面または外周面にネジ山が形成された筒ネジを連設し、
有底の収納部を有し、収納部内には上記筒ネジと雌雄一対をなすネジ山が形成された弁蓋を排気孔の上から被せ、ネジ合わせて排気孔を弁蓋で密封した請求項１から６のいずれかに記載の圧縮収納袋用の排気弁。
【請求項８】
布団、クッション等の収納物を出し入れ可能な収納袋と、この収納袋に上記弁座の排気孔が収納袋内部の収納空間と連通する状態に取り付けられた請求項１から７のいずれかに記載の排気弁とからなる圧縮収納袋。
【考案の詳細な説明】
【技術分野】
【０００１】
この考案は、布団、クッション等を収納して脱気圧縮するための圧縮収納袋、およびこの圧縮収納袋に取り付けられる排気弁に関する。
【背景技術】
【０００２】
布団、クッション、衣類等の嵩の高い物品を、収納したうえで空気を抜き、圧縮することで、嵩を低くした状態で保管することを可能ならしめる圧縮収納袋が知られている。
このような圧縮収納袋の、脱気のしくみの概要は、布団等を袋内に収納した状態で、袋に取り付けられた排気弁に掃除機のノズルをあてると、その吸引力で弁が開いて袋内の空気が掃除機に吸い取られることにより、布団が圧縮できるというものである。
【０００３】
このような圧縮収納袋の排気弁は、袋体に取り付けられる排気孔が設けられた弁座と、弁座の排気孔近辺に配置された弁体とからなり、弁体は常態では、排気孔を閉塞しているが、掃除機のノズルをあてると、その吸引力により、変形または移動して、排気孔を開放し、袋内の空気は排気孔を通じてノズルに吸い取られるようになっている。
そして、ノズルをはずすと、弁体は元の位置に復帰して排気孔を閉塞するため、袋内に外気が漏入することなく、布団の脱気圧縮状態が維持されることとなる。
【０００４】
ここで、従来の排気弁としては、例えば、弁体を排気孔上に配置して、バネにより排気孔を閉塞する向きに付勢し、この状態で上から開口を設けた弁蓋を被せ、弁体を保持したものであって、弁蓋の開口に掃除機のノズルを当てると、その吸引力により弁体がバネに抗して排気孔から離れる向きに移動し、排気孔を開放し、ノズルを離すと、バネにより弁体は排気孔の閉塞位置に復帰するものがある(特許文献１、図１参照)。
また、基板の排気孔周縁部に、弁体の一端部を貼り付けるなどしてヒンジ結合し、弁体を基板に対して接近、離反する方向に回動させることにより、排気孔の開放、閉塞を切り替え可能としたものがある(特許文献２、図１１参照)。
【０００５】
このような特許文献１の排気弁は、弁体は弁座に格納されたうえで、弁蓋により蓋をされ、さらにバネ等を用いて排気弁全体の構造が複雑であるため、弁体を弁座から取り出すことが容易でなく、また、製造コストも比較的高価である問題があった。
また、特許文献２の排気弁の場合も、弁体が弁座に固着されているため、弁座と弁体とを分解することが困難であり、また単にヒンジ結合しているだけであるから、繰り返しの使用により傷みやすく、耐強度にも問題があった。
【０００６】
このように、従来の排気弁は、いずれも弁座と弁体とを分解して掃除することが非常に困難であり、弁体や弁座の排気孔に付着した塵埃を十分に取り除くことができなかった。
そして、このように弁体や排気孔に塵埃が付着したままでは、掃除機のノズルを当てても弁体がうまく作動しなかったりして、弁の開放が不完全となり、収納袋内の脱気圧縮がうまく行われないおそれがあった。
また逆に、掃除機のノズルを当てていない状態でも、塵埃により弁体と排気孔に隙間が生じ、排気孔の閉塞状態が不完全となるため、この隙間から外気が漏入してしまい、収納袋内の脱気圧縮状態を維持できない不都合があった。
【特許文献１】特開２００３−３４３７９号公報
【特許文献２】実開平４−４８１５１号公報
【考案の開示】
【考案が解決しようとする課題】
【０００７】
そこでこの考案の解決すべき課題は、圧縮収納袋において、その排気弁を簡単な構造で分解を容易ならしめることである。
【課題を解決するための手段】
【０００８】
上記した課題を解決するため、この考案の圧縮収納袋用の排気弁を、その弁座が、排気孔が設けられた基板と、基板から所定距離を置いて排気孔に対向する止め環とを有するものとし、基板と止め環と間に空気が流通可能に形成し、その可撓性を有する弁体が、弁板と、この弁板の板面からほぼ垂直に延びる弁軸とを有するものとし、弁軸には、前記環状止め環の内径よりも径の大きな頭部を形成したのである。
そして、弁体の弁軸を止め環の逆側から弁座の排気孔に挿入し、頭部を弾性変形させて、止め環の環をくぐらせ、頭部が復元することにより、弁体を弁座に着脱可能に取り付けたのである。
【０００９】
このような排気弁に掃除機のノズルを当てると、可撓性を有する弁体に吸引力が負荷されてその弁板は湾曲し、周縁部が基板から浮き上がるため、排気孔と弁板との間に空隙が生じ、その空隙を通じて空気が流通する。
そのため、布団、クッション等の収納物を出し入れ可能な収納袋に、弁座の排気孔が内部の収納空間に連通する状態で取り付けて圧縮収納袋を形成した場合、袋内の空気はノズルに吸い取られ、その収納物は脱気圧縮される。
そして、ノズルを排気弁から離すと、吸引力が消失して、弁板の湾曲状態が解消されて、元通りに復元し排気孔を閉塞するため、外気が袋内に漏れ入ることはなく、収納物の圧縮状態が長期間にわたって維持される。
【００１０】
ここで、弁体は、弁軸の頭部を弾性変形させて止め環をくぐらせ、頭部が復元して止め環から抜け止めされることにより、弁座に固定されている。
そのため、反対に、弁板が弁座の基板から浮き上がる方向に強く引っ張ると、頭部が止め環に接触押圧されて弾性変形し、環から抜け出る。
こうして、弁体を引っ張るだけのほぼ一挙動で、弁体と弁座とを簡単に分離することができ、分離した状態で、弁体や排気孔に付着した塵埃等をきれいに掃除できるため、排気弁の誤作動の防止に万全を期することができる。
また、掃除後は、再び頭部を弾性変形させて、止め環をくぐらせて、弁座にほぼワンタッチで取り付けることができるため、弁体の弁座への着脱が非常に容易である。
【００１１】
さらに、この排気弁は、上述したような簡単な構造であるため、複雑な構造になりがちな特許文献１のような排気弁と比較して、その製造コストを抑えることができる。
また、特許文献２のような、弁座と弁体とを単にヒンジ結合している排気弁と比較して、構造的に強いため、耐強度も十分である。
【００１２】
また、上記した構成において、さらに、基板の止め環との対向面に、基板とほぼ垂直をなす複数のフィンを連設し、これらフィンを、排気孔を中心にほぼ放射状に配置し、その内端部で止め環を支持したのである。
このようにすると、掃除機による脱気の際に、袋内の収納物が排気弁側に吸い寄せられても、フィンに当たって排気孔側への寄りが停止するため、排気孔に収納物が密着してその開口を閉塞したりして、脱気の妨げとなることが防止される。
そして、隣接するフィンの間が空気の通路となり、排気孔へと空気が整流された状態でスムーズに流れ込むため、脱気圧縮に要する時間が短縮される。
【００１３】
また、上記した構成において、さらに、止め環の外縁を基板から離間する方向に延長して筒状のケーシングを形成し、このケーシング内に弁軸の頭部を収納可能としたのである。
このようにすると、圧縮収納袋使用の際には、頭部が露出している場合と異なり、収納袋や収納物等と弁体頭部とがじかに接触することがないため、頭部の損耗を防止できる。
【００１４】
また、上記した構成において、さらに、基板の止め環との対向面と逆側の面に、排気孔を取り囲む環状の凸条を設け、弁座に弁体が取り付けられた状態で、この基板の凸条の全周に弁板が密着可能したのである。
基板の板面がフラットな場合には、弁体の弁板の板面と密着させるには、両板面がほぼ完全に平行となる必要があり、隙間が生まれがちなのに対し、凸条を設けると、凸条が基板の板面から盛り上がっているので、まず弁板がここに当たるため、排気孔の密封性を簡単な構造で担保することができる。
【００１５】
また、上記した構成において、さらに、止め環との対向面と逆の面に、排気孔を取り囲んで基板の板面からほぼ垂直に延びる筒状のホッパを連設し、このホッパの内周面に、排気孔に対し、ほぼ放射状に配置されるガイドリブを設けたのである。
このようにすると、圧縮収納袋使用の際に、弁体の弁板部分はホッパに収納保護されているため、その損耗を防止することができ、また、他物品にひっかかって撓むなどして、排気弁が誤作動することも防がれる。
また、ホッパ内に弁体を入れると、弁板が放射状に設けられたガイドリブに当たることで、周りから押されるようにして、ホッパ中央へと案内されるため、弁軸が排気孔に挿入された状態に自動的に位置合わせされる。
そのため、弁体の弁座への取り付け作業の際に、細かな位置合わせを要さず、作業性が向上する。
【００１６】
上記した構成において、さらに、基板の止め環との対向面と逆側の面に、排気孔を取り囲んで基板の板面からほぼ垂直に延び、その内周面または外周面にネジ山が形成された筒ネジを連設したのである。
そして、別途、有底の収納部を有し、収納部内には上記筒ネジと雌雄一対をなすネジ山が形成された弁蓋を用意し、これを弁座に被せ、筒ネジにネジ合わせることで、排気孔を密封可能としたのである。
このようにすると、排気孔上に取り付けられた弁体が完全な密封状態となるため、その他物品との接触による損耗や誤作動の防止に万全を期することができる。
また、圧縮収納袋を床に落下させた場合などのように、衝撃により排気弁に急に外力が負荷され、弁体と弁座の基板との間に隙間が生じるおそれのある場合でも、排気孔は弁蓋により密封されているため、外気が漏入することはなく、袋内の脱気圧縮状態の維持にも万全を期すことができる。
【考案の効果】
【００１７】
圧縮収納袋用排気弁の弁座と弁体とを上記のように簡単な構造で着脱自在に構成したので、弁座と弁体を分解して掃除することが容易となる。
【考案を実施するための最良の形態】
【００１８】
以下、図面を参照しつつ、この考案の実施の形態について説明する。
【００１９】
図１のように、実施形態の圧縮収納袋は、布団Ｍ、クッション、衣類等を収納する収納袋２と、この収納袋２に取り付けられ、収納袋２内の空気を排気する排気弁１とからなる。
収納袋２は、詳しくは、一対のポリエチレンシートの外縁同士を熱融着させるなどして作製された袋体であって、その一側縁は収納口２ａとなっており、この収納口２ａは、ファスナーが取り付けられて開封自在となって、ここから、収納物を出し入れできるようになっている。
【００２０】
また、図２のように、排気弁１は、収納袋２内部の収納空間に連通状態に取り付けられた弁座１０と、弁座１０内に収納される弁体２０と、弁座１０に蓋をする弁蓋３０とからなる。
【００２１】
まず、弁座１０は、ポリエチレン樹脂から一体成型されており、図３および図４のように、ほぼフラットな円盤状の基板１１と、基板１１の一面に放射状に連設されたフィン１３と、基板１１の他面に連設された筒状のホッパ１４および筒ネジ１５と、フィン１３内端部に支持される止め環１２とからなる。
【００２２】
図示のように、基板１１は、そのほぼ中央に円形貫通孔である排気孔１１ａが設けられており、この排気孔１１ａの周縁の基板１１板面は盛り上がって円環状の凸条１１ｂとなっている。
この基板１１は、収納袋２の収納空間の内側から熱融着して固定されており(図７参照)、上述のように、弁座１０と収納袋は同じポリエチレン素材からなるため、これらの密着性は非常に良好なものとなっている。
【００２３】
また、基板１１の凸条１１ｂがある面には、基板１１の板面に対してほぼ垂直方向に延びる円筒形のホッパ１４が凸条１１ｂを取り囲んで連設されている。
また、ホッパ１４の内周面からは、周方向にほぼ間隔をおいた、複数のガイドリブ１４ａがほぼ垂直に延びており、これによりガイドリブ１４ａは、平面視で基板１１の排気孔１１ａを中心とする放射線を描いている。
【００２４】
同様に、基板１１の凸条１１ｂがある面には、基板１１の板面に対してほぼ垂直に延びる円筒形の筒ネジ１５が連説され、凸条１１ｂとホッパ１４とを取り囲んでいる。
この筒ネジ１５の内周面には、ねじ山が形成されており、これらホッパ１４と凸条１１ｂ、筒ネジ１５は、平面視で同心円上に配置されている。
【００２５】
基板１１の凸条１１ｂのない面には、排気孔１１ａを中心に、放射状に配置された、基板１１の板面に対してほぼ垂直に延びる複数のフィン１３が連設されている。
これらフィン１３の内端部には、筒状の止め環１２が、基板１１との間に所定の間隔をおいて一体的に支持されている。
隣接するフィン１３間は、内側に行くにしたがって狭まる空気通路となって、フィン１３内端部においては、フィン１３の向かい合う板面、止め環１２の基板と対向する板面、基板１１の止め環１２と対向する板面に囲まれて、空気流入口１３ａが区画形成され、この空気流入口１３ａを通じて、収納袋２の収納空間と基板１１の排気孔１１ａとは連通している。
【００２６】
止め環１２は、円環状の止め環本体１２ａと、止め環本体１２ａから、基板１１に対して離反する方向に延長される円筒形のケーシング１２ｂとからなる。
止め環本体１２ａと、ケーシング１２ｂとは、その外径は等しく、かつ肉厚は止め環本体１２ａのほうが大きいため、内径は、止め環本体１２ａのほうが小さくなっている。
【００２７】
次に、弁体２０は、シリコーン樹脂から一体成型され、図５のように、円盤状の弁板２１と、弁板２１のほぼ中央から、その板面に対してほぼ垂直に延びる円柱状の弁軸２２とからなり、弁軸２２の先端部は膨らんで、径の大きい頭部２２ａとなっている。
【００２８】
ここで上記のように、弁体２０は、シリコーン樹脂から形成されているため、可撓性を有し、外力を加えると弾性変形し、また外力から解放すると元通りに復元するようになっている。
【００２９】
ここで、頭部２２ａの径は、弁座１０の止め環本体１２ａの内径よりも大きく、頭部２２ａ以外の弁軸２２の径は、止め環本体１２ａの内径よりも小さくなっているため、頭部２２ａを弾性変形させて、止め環本体１２ａをくぐらすと、弁軸は、止め環本体１２ａに挿通可能となっている。
さらに、頭部２２ａの径は、ケーシング１２ｂの内径よりも小さくなっているため、上記挿通状態で、頭部２２ａはケーシング１２ｂに収納可能となっている。
また、弁板２１の径は、弁座１０の排気孔１１ａおよび凸条１１ｂの径よりも大きく、ホッパ１４の径よりも小さくなっているため、弁板２１は排気孔１１ａを閉塞可能となっている。
【００３０】
さらに、弁蓋３０は、ポリエチレン樹脂から一体成型され、図６のように、上底を有する円筒形の収納部３１と、収納部３１下縁の開口からほぼ水平に張り出す円盤状の鍔部３２とからなる。
【００３１】
また、収納部３１の上底から開口の手前にかけては、上底面に対してほぼ垂直に円筒形の筒ネジ３１ａが延びており、この筒ネジ３１ａの外周面にはねじ山が形成されている。
筒ネジ３１ａは、その外径が上記弁座１０の筒ネジ１５の内径とほぼ同じかやや小さく形成されており、これら筒ネジ１５、３１ａはねじあわせ可能となっている。
【００３２】
同様に、収納部３１の上底から開口の手前にかけては、上底面に対してほぼ垂直に円筒形の弁体押さえ３１ｂが延びており、この弁体押さえ３１ｂは、上記筒ネジ３１ａと平面視同心円上にあって、筒ネジ３１ａに取り囲まれている。
この弁体押さえ３１ｂの径は、弁体２０の弁板２１の径よりも小さくなっており、弁体２１を押さえつけることが可能となっている。
【００３３】
また、収納部３１の円筒外周面には、周方向に等間隔をおき、その軸方向(縦方向)に延びる複数の縦リブが形成されており、弁蓋３０を握る際の滑り止めとなっている。
【００３４】
弁座１０、弁体２０、弁蓋３０の構成は以上のようであり、次に、図２(ａ)から(ｃ)の順にしたがって、これらから排気弁１を組み立てる。
【００３５】
まず図２(ａ)から(ｂ)のように、弁座１０のホッパ１４に弁体２０を入れると、弁体２０の弁板２１は、ホッパ１４のガイドリブ１４ａに当たることで、周縁から押されてホッパ１４中央へと案内され、弁軸２２が基板１１の排気孔１１ａに挿入された状態に自動的に位置合わせされる。
このとき、弁板２１の板面は、基板１１の盛り上がった円環状の凸条１１ｂにぴったりと当接して、基板１１の排気孔１１ａは、弁板２１に密封される。
【００３６】
この状態で、弁軸２２の頭部２２ａを、弁座１０の止め環１２に押し付けて弾性変形させ、止め環本体１２ａの環をくぐらせる。
くぐらせた後には、外力から開放されて頭部２２ａの形状が復元し、上述したように、頭部２２ａの径は、止め環本体１２ａの径よりも大きいため、抜け止めされて、弁体２０は弁座１０に固定される。
【００３７】
なお、弁体２０を弁座１０から離れる方向に強く引っ張ると、再び弁軸２２の頭部２２ａが止め環本体１２ａに押し付けられて弾性変形し、環から抜け出るため、ほぼワンタッチで弁体２０と弁座１０とを分離することができる。
このように、ワンタッチで、弁座１０に弁体２０を着脱可能であるため、排気弁１を分解して掃除するのが容易であり、弁座１０や弁体２０に付着した塵埃を隅々まで払い落とすことができる。
そのため、排気弁１の故障、誤作動の防止に万全を期することができる。
【００３８】
次に、図２(ｂ)から(ｃ)のように、弁体２０を収納した状態の弁座１０に、弁蓋３０を被せ、弁座１０の筒ネジ１５に、弁蓋３０の筒ネジ３１ａをねじ合わせて、弁体２０を弁座１０の排気孔１１ａに蓋をする。
弁体２０は弁座１０と弁蓋３０で密封されているため、損耗が防がれており、また、排気孔１１ａも同様に密封されているため、外気が排気孔１１ａから収納袋２内に漏れ入るのが防止される。
【００３９】
最後に、図７に従って、圧縮収納袋２を使用する際の排気弁１の作用について説明する。
【００４０】
まず図７(ａ)は、収納袋２に布団Ｍを収納口２ａから収納し、ファシナーを閉めて密封した状態を示している。
図示のように、常態では、弁座１０の基板凸条１１ｂに弁体２０の弁板２１が密着しているため、凸条１１ｂに囲まれている排気孔１１ａは完全に閉塞され、収納袋２内外の空気は排気弁１から行き来できないようになっている。
【００４１】
次に、図７(ｂ)のように、弁座１０の筒ネジ１５に掃除機のノズルＮを被せると、ノズルＮ内の矢印で示すような吸引力が、弁体２０に負荷されるため、弁板２１はその縁部からまくれ上がって基板１１から浮き上がり、排気孔１１ａと弁板２１との間に空隙が生まれる。
そして、この空隙を通じ、図中太矢印で示すように、収納袋２内の空気がフィン１３間の空気通路、空気流入口１３ａ、排気孔１１ａを経て掃除機に吸い取られる。
このため、図示のように、空気を含んで膨らんでいた布団Ｍは、徐々に脱気圧縮されることになる。
脱気が進むと、図中布団Ｍ内の矢印で示すように、布団Ｍは排気弁１側に徐々に吸い寄せられるが、弁座１０のフィン１３に当たってそれ以上は排気弁１側に接近しないため、布団Ｍが排気孔１１ａを塞いで排気の妨げとなることはない。
【００４２】
ノズルＮを弁座１０から離すと、弁体２０は、吸引負荷から解放されて弁板２１はもとの形状に復元し、再び排気孔１１ａを閉塞する。
掃除機を用いた脱気圧縮が終了した後には、図７(ｃ)のように、弁座１０に弁蓋３０を被せ、上述したように筒ネジ１５、３１ａをねじあわせる。
このとき、弁蓋３０の弁体押さえ３１ｂが、弁体２０の弁板２１を上から押さえつけて、弁座１０の基板１１(の凸条１１ｂ)とで挟み込んでいる。
そのため、弁体２０に外部から衝撃が加わっても、まくれ上がるなどすることがないため、外気の収納袋２内への漏れ入りの防止に万全が期されている。
こうして、脱気圧縮状態が維持された、圧縮収納袋の収納袋２に入れられた布団Ｍは、押入れ等に収納され、長期にわたって保管することが可能である。
【００４３】
以上見てきたように、排気弁１は、非常に構造が簡単であり、その製造コストは従来の複雑な構造の排気弁と比較した場合、その製造コストは非常に低廉である。
また、従来の弁座と弁体をヒンジ結合した排気弁と比較した場合、構造がしっかりしており、耐強度にも優れる。
【図面の簡単な説明】
【００４４】
【図１】圧縮収納袋の斜視図
【図２】排気弁の一部断面斜視図
【図３】(ａ)は弁座の平面図、(ｂ)は弁座の縦断面図、(ｃ)は弁座の底面図
【図４】(ａ)は弁座を上方から見た一部断面斜視図、(ｂ)は弁座を下方から見た斜視図
【図５】(ａ)は弁体の正面図、(ｂ)は弁体の底面図、(ｃ)は弁体の斜視図
【図６】(ａ)は弁蓋の平面図、(ｂ)は弁蓋の縦断面図、(ｃ)は弁蓋の一部断面斜視図
【図７】圧縮収納袋の使用状態を示す、一部拡大断面図
【符号の説明】
【００４５】
１  排気弁
２  収納袋
１０  弁座
１１  基板
１１ａ  排気孔
１１ｂ  凸条
１２  止め環
１２ａ  止め環本体
１２ｂ  ケーシング
１３  フィン
１３ａ  空気流入口
１４  ホッパ
１４ａ  ガイドリブ
１５  筒ネジ
２０  弁体
２１  弁板
２２  弁軸
２２ａ  頭部
３０  弁蓋
３１  収納部
３１ａ  筒ネジ
３１ｂ  弁体押さえ
３２  鍔部
Ｎ  掃除機のノズル
Ｍ  布団
【図１】
0003129981.tif 000003
【図２】
0003129981.tif 000004
【図３】
0003129981.tif 000005
【図４】
0003129981.tif 000006
【図５】
0003129981.tif 000007
【図６】
0003129981.tif 000008
【図７】
0003129981.tif 000009